(57)【要約】【課題】  導風カバーによる冷却風案内を好適に行わせることができるとともに、必要に応じて導風カバーに邪魔されることなくシリンダ部周辺のメンテナンスを容易に行えるようにする。【解決手段】  空冷式のエンジン３０におけるシリンダ部３０ｂの近傍に、シリンダ部３０ｂに供給された冷却風を案内する導風カバー５０を設けるとともに、この導風カバー５０を、冷却風案内作用位置と、シリンダ部３０ｂを露出させるメンテナンス位置とに位置変更可能に構成してある。【選択図】        図４
2008265373.tif 000002
【特許請求の範囲】
【請求項１】
空冷式のエンジンにおけるシリンダ部の近傍に、シリンダ部に供給された冷却風を案内する導風カバーを設けるとともに、この導風カバーを、冷却風案内作用位置と、シリンダ部を露出させるメンテナンス位置とに位置変更可能に構成してあることを特徴とする作業機の原動部構造。
【請求項２】
前記シリンダ部の上方箇所に配備した燃料タンクを正規設置位置とメンテナンス用の開放位置とに位置変更可能に構成し、燃料タンクを正規設置位置から開放位置へ移動させるのに連動して前記導風カバーを前記冷却風案内作用位置からメンテナンス位置へ移動させるよう構成してある請求項１記載の作業機の原動部構造。
【請求項３】
前記燃料タンクを前記正規設置位置と前記開放位置との間で移動可能に支持するとともに、この燃料タンクに前記導風カバーを一体移動可能に連結してある請求項２記載の作業機の原動部構造。
【発明の詳細な説明】
【技術分野】
【０００１】
本発明は、空冷式のエンジンを搭載した作業機の原動部構造に関する。
【背景技術】
【０００２】
空冷式のエンジンを搭載した作業機の一例である乗用型田植機の原動部構造としては、例えば、特許文献１に示されているように、エンジンにおけるシリンダ部の排気側に、シリンダ部の外周に供給された冷却風を排気管の周囲に案内する導風カバーを設けたものが知られている。
【特許文献１】特開２００５−３５００１３号公報（図４）
【発明の開示】
【発明が解決しようとする課題】
【０００３】
上記構造によると、排気管からの輻射熱がエンジンルーム内に伝播されるのを導風カバーで抑制するとともに、導風カバー内に導入した冷却風で排気管を冷却して排気温度を低減することで消音効果を高めることができるのであるが、エンジンの排気側のメンテナンスを行う際に導風カバーが邪魔になり、その脱着に手数を要するものであった。
【０００４】
本発明は、このような点に着目してなされたものであって、導風カバーによる冷却風案内を好適に行わせることでき、必要に応じて導風カバーに邪魔されることなくシリンダ部周辺のメンテナンスを容易に行えるようにすることを目的としている。
【課題を解決するための手段】
【０００５】
第１の発明は、空冷式のエンジンにおけるシリンダ部の近傍に、シリンダ部に供給された冷却風を案内する導風カバーを設けるとともに、この導風カバーを、冷却風案内作用位置と、シリンダ部を露出させるメンテナンス位置とに位置変更可能に構成してあることを特徴とする。
【０００６】
上記構成によると、通常時は導風カバーを冷却風案内作用位置に設置して、好適な冷却風案内を行わせることができる。風カバーをメンテナンス位置に移動させることで、シリンダ部を露出させて広い空間からシリンダ周辺のメンテナンスを容易に行うことができる。
従って、第１の発明によると、通常は導風カバーによる冷却風案内を好適に行わせることができ、導風カバーの煩わしい取り外し操作を要することなく、導風カバーに邪魔されることなくシリンダ部周辺のメンテナンスを容易に行うことができるようになって、メンテナンスの作業性を向上させることができる。
【０００７】
第２の発明は、上記第１の発明において、
シリンダ部の上方箇所に配備した燃料タンクを正規設置位置とメンテナンス用の開放位置とに位置変更可能に構成し、燃料タンクを正規設置位置から開放位置へ移動させるのに連動して前記導風カバーを前記冷却風案内作用位置からメンテナンス位置へ移動させるよう構成してあるものである。
【０００８】
上記構成によると、燃料タンクをシリンダ部上方の正規設置位置から開放位置へ移動させることで、点火プラグの清掃や交換などの作業をシリンダ部上方の広い空間から行うことができる。燃料タンクの開放位置への移動に伴って導風カバーも冷却風案内作用位置からメンテナンス位置に移動され、シリンダ部周辺を開放した状態がもたらされることになり、シリンダ部周辺のメンテナンス作業を一層容易に行うことができる。
【０００９】
第３の発明は、上記第２の発明において、
前記燃料タンクを前記正規設置位置と前記開放位置との間で移動可能に支持するとともに、この燃料タンクに前記導風カバーを一体移動可能に連結してあるものである。
【００１０】
上記構成によると、燃料タンクと導風カバーとの連動移動を簡単に実施することができる。
【発明を実施するための最良の形態】
【００１１】
図１に、本発明に係る作業機の一例である乗用型田植機の全体側面が示されている。この乗用型田植機は、操向自在な前輪１と操向不能な後輪２を備えた四輪駆動型の走行機体３の後部に、油圧シリンダ４で駆動される平行四連リンク構造の昇降リンク機構５を介して苗植付け装置６が連結され、走行機体３の後部に設けた運転座席７の後方箇所に施肥装置８が配備されるとともに、走行機体３の前部にボンネット９で覆われた原動部１０、ステアリングハンドル１１、等が備えられ、原動部１０の左右横外方に３段積みの予備苗のせ台１２がそれぞれ装備された構造となっている。
【００１２】
前記苗植付け装置６は６条植え仕様に構成されており、苗を載置して一定ストロークで往復横移動する苗のせ台１５、この苗のせ台１５の下端から１株分づつ苗を切り出して田面に植付けてゆく６組の回転式の植付け機構１６、田面の植付け箇所を均平整地する３個の整地フロート１７、等を備えて構成されている。
【００１３】
前記施肥装置８には、顆粒状の肥料を貯留する肥料ホッパ１８、貯留した肥料をホッパ下端から２条単位で設定量づつ肥料を繰り出す３つの繰出し機構１９、各繰出し機構１９に搬送風を供給する電動ブロワ２０と給風ダクト２１、繰出し機構１９から搬送風に乗っって送り出される肥料を整地フロート１７に取り付けた６個の作溝器２２に送り込む供給ホース２３、等が備えられており、作溝器２２によって植付け苗の横側近傍の田面に形成した施肥溝に、風力搬送されてきた肥料を送込んで埋設するように構成されている。
【００１４】
図７〜図９に示すように、各繰出し機構１９には肥料ホッパ１８に残った肥料を排出する横長の排出ダクト２４が連通接続されるとともに、この排出ダクト２４の機体右側端部（図８，９では左端部）が前記給風ダクト２１の周端部に連通接続されるとともに、排出ダクト２４の機体左側端部（図８，９では右端部）に排出ホース２５が接続されている。排出ダクト２４は透明樹脂材で形成されており、排出状況を外部から監視できるよう構成されている。排出ホース２５は、伸縮自在な蛇腹状に構成されるとともに、排出ダクト２４の外端部には、排出ホース２５を内側から支持して垂れ下がるのを阻止する支持パイプ２６が連設されていおり、短縮された排出ホース２５を支持パイプ２６で振れ動くことなく受け止めて格納保持するとともに、供給ホース２５が伸長される肥料排出作業時には、運転座席７の横外側に配備された苗補給用の補助ステップ１４に、伸長された供給ホース２５が接触しないようになっている。
【００１５】
図２に示すように、原動部１０におけるボンネット９の内部にはエンジン３０、燃料タンク３１、および、エンジン付属機器、等が収容配備されている。エンジン３０は、出力軸３０ｃを左横向きに突設した横軸型の空冷ガソリンエンジンが利用されており、ミッションケース３２から前方に延出された前フレーム３３に防振支持されている。
【００１６】
前記出力軸３０ａから取り出されたエンジン動力は、ミッションケース３２の左側面に連結された静油圧式無段変速装置（ＨＳＴ）からなる主変速装置３４にベルト伝達され、この主変速装置３４から出力された正転あるいは逆転の無段変速動力がミッションケース３２で更に複数段にギヤ変速されて前輪１および後輪２に伝達される。ミッションケース３２に入力された無段変速動力のうちの正転動力のみがＰＴＯ系動力として分岐され、このＰＴＯ系動力がミッションケース３２で複数段に変速（株間変速）され、走行機体３の後から取り出されて苗植付け装置６に軸伝達される。
【００１７】
ミッションケース３２の上部には、油圧式のパワーステアリングユニット３５および前記ステアリングハンドル１１を軸支したハンドルポスト３６が設置され、図示されていないが、パワーステアリングユニット３５に連動連結されたピットマンアームの揺動作動によって前輪１が駆動操向されるようになっている。
【００１８】
エンジン３０は、クランクケース部３０ａの上部に連設したシリンダ部３０ｂが後方に傾斜された嵩低いものに構成され、クランクケース部３０ａの下部が防振ゴム３７を介して前フレーム３３に搭載連結されるとともに、後傾斜されたシリンダ部３０ｂも防振ゴム３８を介して前フレーム３３の基端上部に防振支持されている。
【００１９】
図３に示すように、エンジン３０の機体右側には、エンジン動力で駆動される吸引ファン３９を内装した送風ケース４０が備えられ、送風ケース４０に吸引された冷外気が冷却風としてシリンダ部３０ｂの外周に供給される。シリンダ部３０ｂの機体左側面から排気管４１が導出されて、運転ステップ１３の前部下方に配備されたマフラー４２に連通接続されている。
【００２０】
図３に示すように、前記主変速装置３４の入力軸３４ａには冷却ファン４３が備えられて、主変速装置３４の周辺に機体外向きの気流を発生させて主変速装置３４を冷却するよう構成されるとともに、マフラー４２の周辺と主変速装置３４の周辺に発生する暖気の一部が、冷却ファン４３の送風力によって機体下部に配備された導風ダクト４４の前端に送り込まて機体後方に導かれるようになっている。前記施肥装置８における電動ブロワ２０の吸気部から吸気ダクト４５が機体下方に延出され、この吸気ダク４５の前入口が前記導風ダクト４４の後端出口に対向配備されている。マフラー４２の周辺と主変速装置３４の周辺に発生する暖気の一部が、導風ダクト４４および吸気ダクト４５を介して取り込まれて肥料搬送風として利用されることで、繰出し機構１９や供給ホース２３の内部を乾燥させて、肥料粉の付着堆積を抑制するよう構成されている。
【００２１】
図２に示すように、排気管４１の上部は機体内向き開放された導風カバー５０で覆われ、シリンダ部３０ｂの右側から供給されて左側に流出してきた冷却風の一部が導風カバー５０内に導入され、導入された冷却風によって排気管４１を冷却して消音効果を高めるとともに、排気管４１からの輻射熱がエンジンルーム内に伝播することが導風カバー５０で抑制されている。
【００２２】
図５に示すように、前記ハンドルポスト３６の下部には、左右一対の支持パイプ５１が前後向きに固設され、各支持パイプ５１に前後スライド可能に挿通された左右の支持アーム５２に、燃料タンク３１の底部が連結支持されている。支持アーム５２を後方にスライドさせて、その後方突出端に手動で脱着可能な止めピン（ベータピン）５３を装着することで燃料タンク３１を正規設置位置（ａ）に固定することができ、この正規設置位置（ａ）では、燃料タンク３１の補給口３１ａがボンネット９の上方に露出し、ボンネット９を開けることなく燃料補給を行うことができる。ボンネット９を開放して止めピン５３を抜き取ると、燃料タンク３１を前方にスライド移動させることが可能となり、図４に示すように、燃料タンク３１を前方の開放位置（ｂ）にまで大きく移動してシリンダ部３０ｂの上方を開放することで、点火プラグ（図示せず）の掃除や交換を広い空間から容易に行うことができる。
【００２３】
正規設置位置（ａ）における燃料タンク３１はシリンダ部３０ｂの上方に重複しており、燃料タンク３１の底面がシリンダ部３０ｂに近接して、シリンダ部３０ｂの傾斜と略平行に前下がり傾斜しており、燃料タンク３１の底面がエンジン右側から供給される冷却風を効率よくシリンダ部３０ｂの外周に導く案内面として機能するよう構成されている。
【００２４】
排気管４１は前記導風カバー５０によって横外側方、上方、および、前方から覆われるとともに、シリンダ部３０ｂのヘッドに連結固定された後部カバー５０ａによって後方から覆われるようになっている。導風カバー５０は、前後移動可能な上記燃料タンク３１に連結支持されており、燃料タンク３１が正規設置位置（ａ）にあると、導風カバー５０は排気管４１を覆う冷却風案内作用位置にあり、燃料タンク３１が開放位置（ｂ）に移動されると導風カバー５０が排気管４１から前方に外れたメンテナンス位置に移動されるようになっている。
【００２５】
〔他の実施例〕
（１）導風カバー５０を縦向き支点周りに揺動開閉可能に支持し、燃料タンク３１の正規設置位置（ａ）への移動によって導風カバー５０が冷却風案内作用位置に閉じられ、燃料タンク３１を開放位置（ｂ）に移動させると導風カバー５０が横外方のメンテナンス位置に揺動開放されるように、燃料タンク３１と導風カバー５０とをリンク機構などを用いて連動することも可能である
【００２６】
（２）燃料タンク３１とは無関係に導風カバー５０を独立して冷却風案内作用位置とメンテナンス位置に移動可能に構成して実施することもできる。
【図面の簡単な説明】
【００２７】
【図１】乗用型田植機の全体側面図
【図２】原動部の側面図
【図３】原動部の平面図
【図４】燃料タンクを開放位置に移動させた原動部の側面図
【図５】燃料タンクの支持構造を示す一部切欠き側面図
【図６】燃料タンクの支持構造を示す縦断背面図
【図７】施肥装置の繰出し部を示す側面図
【図８】施肥装置の肥料排出構造を示す展開図
【図９】肥料排出状態の肥料排出構造を示す展開図
【符号の説明】
【００２８】
３０              エンジン
３１              燃料タンク
３０ｂ            シリンダ部
５０              導風カバー
【図１】
2008265373.tif 000003
【図２】
2008265373.tif 000004
【図３】
2008265373.tif 000005
【図４】
2008265373.tif 000006
【図５】
2008265373.tif 000007
【図６】
2008265373.tif 000008
【図７】
2008265373.tif 000009
【図８】
2008265373.tif 000010
【図９】
2008265373.tif 000011